(57)【要約】【課題】利用者は特別な知識がなくても売買のタイミングと、その統計的な優位性を知ることが出来、利用者を従来以上に合理的かつ冷静に売買に参加させることができる。【解決手段】データが追加されたことにより起動され、ステップＳ１でアプリケーションサーバにおける処理が行われる。ステップＳ２では売買シグナル変更（メール文の作成の有無）が判断され、変更がないとき（ＮＯ）は処理が終了される。これに対して、売買シグナルの変更があるとき（ＹＥＳ）は、ステップＳ３でメール送信ＤＢ２４が検索され、選択された送信先がステップＳ４でメールサーバ１２に渡されて、ステップＳ５で売買シグナルのメール文が送信される。さらにステップＳ３〜Ｓ５の処理がメール送信ＤＢ２４から選択された送信先の数分繰り返され、数分が送信されたら処理は終了される。【選択図】図２
2007102553.tif 000002
【特許請求の範囲】
【請求項１】
情報の入出力手段を有する端末装置と各種市場の情報が記憶されている外部データベースとがネットワークを通じて接続されたサーバ装置を用いる市場取引支援システムであって、
前記サーバ装置には、
前記端末装置を所有する顧客の情報を蓄積した顧客情報蓄積手段と、
任意の売買プログラムを保存する売買プログラム保存手段と、
前記外部データベースから取り出される市場の情報を蓄積する市場情報蓄積手段と、
前記保存された売買プログラムに基づいて前記外部データベースから取り出される市場の情報を判断する市場情報判断手段と、
前記市場情報蓄積手段に蓄積された市場の情報を用いて前記保存された売買プログラムに基づくシミュレーションを行うシミュレーション手段と、
前記顧客情報蓄積手段に蓄積された顧客の情報に従って前記市場情報判断手段により判断されたタイミングで前記シミュレーション手段によりシミュレーションされた結果を前記端末装置に電子メール送信する電子メール送信手段と
が設けられることを特徴とする市場取引支援システム。
【請求項２】
情報の入出力手段を有する端末装置と各種市場の情報が記憶されている外部データベースとがネットワークを通じて接続され、
前記端末装置を所有する顧客の情報を蓄積した顧客情報蓄積手段と、
任意の売買プログラムを保存する売買プログラム保存手段と、
前記外部データベースから取り出される市場の情報を蓄積する市場情報蓄積手段と、
前記保存された売買プログラムに基づいて前記外部データベースから取り出される市場の情報を判断する市場情報判断手段と、
前記市場情報蓄積手段に蓄積された市場の情報を用いて前記保存された売買プログラムに基づくシミュレーションを行うシミュレーション手段と、
前記顧客情報蓄積手段に蓄積された顧客の情報に従って前記市場情報判断手段により判断されたタイミングで前記シミュレーション手段によりシミュレーションされた結果を前記端末装置に電子メール送信する電子メール送信手段と
を有することを特徴とする市場取引支援装置。
【請求項３】
情報の入出力手段を有する端末装置と各種市場の情報が記憶されている外部データベースとサーバ装置とがネットワークを通じて接続されたシステムに適用される市場取引支援方法であって、
前記端末装置を所有する顧客の情報を蓄積した顧客情報蓄積手段と任意の売買プログラムを保存する売買プログラム保存手段と前記外部データベースから取り出される市場の情報を蓄積する市場情報蓄積手段とが設けられ、
前記保存された売買プログラムに基づいて前記外部データベースから取り出される市場の情報を判断する手順と、
前記市場情報蓄積手段に蓄積された市場の情報を用いて前記保存された売買プログラムに基づくシミュレーションを行う手順と、
前記顧客情報蓄積手段に蓄積された顧客の情報に従って前記市場の情報を判断して得たタイミングで前記シミュレーションされた結果を前記端末装置に電子メール送信する手順と
を有することを特徴とする市場取引支援方法。
【請求項４】
情報の入出力手段を有する端末装置と各種市場の情報が記憶されている外部データベースとがネットワークを通じてサーバ装置に接続されたシステムに用いられる市場取引支援プログラムであって、
前記端末装置を所有する顧客の情報を蓄積する機能と、
任意の売買プログラムを保存する機能と、
前記外部データベースから取り出される市場の情報を蓄積する機能と、
前記保存された売買プログラムに基づいて前記外部データベースから取り出される市場の情報を判断する機能と、
前記蓄積された市場の情報を用いて前記保存された売買プログラムに基づくシミュレーションを行う機能と、
前記蓄積された顧客の情報に従って前記判断された市場の情報のタイミングで前記シミュレーションされた結果を前記端末装置に電子メール送信する機能と
を前記サーバ装置で実現させるようにした市場取引支援プログラム。
【請求項５】
請求項１〜４のいずれかに記載の市場取引支援システム、装置、方法またはプログラムにおいて、
前記蓄積された市場の情報及び前記保存された売買プログラムの中からそれぞれ任意のものを指定して前記シミュレーションを実行することを特徴とする市場取引支援システム、装置、方法またはプログラム。
【請求項６】
請求項１〜４のいずれかに記載の市場取引支援システム、装置、方法またはプログラムにおいて、
前記シミュレーションされた結果には、少なくとも仕掛け、手仕舞い、現在のポジション、利食い、損切りの一つ以上の価格の情報と、少なくとも期待収益率及び勝率の情報とを含むことを特徴とする市場取引支援システム、装置、方法またはプログラム。
【発明の詳細な説明】
【技術分野】
【０００１】
本発明は、例えば投資情報の提供に使用して好適な市場取引支援システム、装置、方法及びプログラムに関する。詳しくは、顧客が選択した取引対象及び売買手法に従って売買シグナルを顧客に通知すると共に、過去の市場のデータを用いて売買をシミュレーションし、そのシミュレーションの結果を顧客に通知することができるようにするものである。
【背景技術】
【０００２】
従来の投資情報の提供では、任意のテクニカル分析手法を用いて、例えば市場の取引の動向を予測し、相場の上昇、下降、停滞などのテクニカル予測情報が顧客に提供されるようになっている（例えば、特許文献１参照。）。
【０００３】
あるいは、予め定められた取引手法による商品（売買プログラム）を用いて、例えば複数の商品を用いて市場取引を行った場合の成功率などを比較した情報が提供されるようにしたものもある（例えば、特許文献２参照。）。
【０００４】
すなわち従来の投資情報の提供では、例えば顧客が指定した銘柄について、相場の上昇、下降、停滞などのテクニカル予測情報だけが顧客に提供される。あるいは、予め定められた取引手法を用いて市場取引を行った場合の成功率などの情報は提供されるものであるが、現時点での取引を行うための条件などの情報の提供は行われていないものである。
【特許文献１】特開２００３−１６２８２号公報
【特許文献２】特開２００２−２４５２５２号公報
【発明の開示】
【発明が解決しようとする課題】
【０００５】
金融、物品などの市場取引を、インターネット等の情報通信ネットワークを用いて行うシステムが実用化されている。すなわち、このような金融、物品などの市場取引は、一般の人にも公開されているものである。しかしながら、現実には、そのようなシステムを用いて一般の人が直接投資を行うことには、多くのリスクが存在し、また常に市場の動きを監視していなければならないなど、いろいろな困難が存在する。そこでそのような取引について、任意の方針に従って売買を代行し、利潤を分配する商品が販売されている。
【０００６】
このような商品は、例えば投資会社によって販売されるものであり、それぞれの会社の独自の方針に従って、金融、物品などの市場での売買が行われてその利潤が分配される。しかしながらこのような各会社に独自の売買等の方針は複雑なものであり、一般の人には容易に理解できるものではない。このため従来は、投資会社そのものの信頼性などで商品の購入が決定されているものであり、これでは購入者の意図が充分に反映されているとは言えないものでる。
【０００７】
そこでこれらの商品の投資情報を、一般の人の解り易く提供するための市場取引支援システム、装置、方法及びプログラムが提案されている。すなわち、上述の特許文献２に示された方法では、複数の取引対象銘柄について、複数の指標に関する指標値を求めて更新し、前記指標値算出手段により更新された指標値に基づいて、指標別に、前記複数の各取引対象銘柄をランク付けして記憶し、記憶されている複数の銘柄の中から、ランクに基づいて特定の銘柄を抽出して、利用者に提示するようにしている。
【０００８】
しかし上述の特許文献２に示された方法では、最終的に、ランクを、指標の現時点での値を求め、各取引対象銘柄について、得られた指標値が過去に得られたタイミングで取引を行った場合に、所定の期待値が得られる確率を求め、その確率に基づいて設定するものである。つまり、商品の価値を単純な成功率に求めているものである。
【０００９】
ところが、実際の投資の取引を行う場合にあっては、例えば１００回の取引で９９回失敗しても、１回の成功で儲かることもあり、逆に９９回成功しても１回の失敗で損をしてしまう場合もある。従って、上述のように単純な成功率だけを用いていたのでは、充分に正確な情報を提供しているとはいえないものである。
【００１０】
また、特許文献２に示された方法では、ランクを所定の期待値が得られる確率で決めているが、ここで所定の期待値とは、情報の提供者が任意に定めることができるものであり、例えば期待値を低くして成功率を高めるなど、その期待値の決め方によって結果を左右することが可能である。そしてこのように、結果を恣意的に左右できる情報では、必ずしも正確な情報を提供しているとはいえないものである。
【００１１】
すなわち特許文献２の方法では、所定の期待値が得られる確率を求めてランクを決定しているものであり、これでは結果を恣意的に左右できるなど、必ずしも充分に正確な情報を提供しているとはいえないものである。
【００１２】
一方、特許文献１に示された方法は、予め設定された取引対象銘柄についてその市場での値動きをテクニカル分析により予測し、その予測結果を顧客に通知するものであるが、ここでは、単に相場の上昇、下降、停滞などのテクニカル予測情報が顧客に提供されているだけである。しかしながら、これだけの情報から一般投資家が実際的な売買のタイミングなどを判断することは極めて困難であり、このシステムを有効に利用するためには、利用者の側に多大な知識の取得や学習が要求されるものである。
【００１３】
この発明はこのような問題点に鑑みて成されたものであって、本発明の目的は、予め選択された売買プログラムに従って売買した場合のシミュレーション結果と、その具体的な売買のタイミングとを詳細にかつ同時に示すことにより、利用者は特別な知識がなくても売買のタイミングと、その統計的な優位性を知ることが出来、利用者を従来以上に合理的かつ冷静に売買に参加させることで、一般顧客による市場取引を支援し、また市場取引の多様化を図ることで、市場取引の活性化をも推進できるようにするものである。
【課題を解決するための手段】
【００１４】
上記の課題を解決し、本発明の目的を達成するため、請求項１に記載された発明は、情報の入出力手段を有する端末装置と各種市場の情報が記憶されている外部データベースとがネットワークを通じて接続されたサーバ装置を用いる市場取引支援システムであって、サーバ装置には、端末装置を所有する顧客の情報を蓄積した顧客情報蓄積手段と、任意の売買プログラムを保存する売買プログラム保存手段と、外部データベースから取り出される市場の情報を蓄積する市場情報蓄積手段と、保存された売買プログラムに基づいて外部データベースから取り出される市場の情報を判断する市場情報判断手段と、市場情報蓄積手段に蓄積された市場の情報を用いて保存された売買プログラムに基づくシミュレーションを行うシミュレーション手段と、顧客情報蓄積手段に蓄積された顧客の情報に従って市場情報判断手段により判断されたタイミングでシミュレーション手段によりシミュレーションされた結果を端末装置に電子メール送信する電子メール送信手段とが設けられることを特徴とする市場取引支援システムである。
【００１５】
請求項２に記載された発明は、情報の入出力手段を有する端末装置と各種市場の情報が記憶されている外部データベースとがネットワークを通じて接続され、端末装置を所有する顧客の情報を蓄積した顧客情報蓄積手段と、任意の売買プログラムを保存する売買プログラム保存手段と、外部データベースから取り出される市場の情報を蓄積する市場情報蓄積手段と、保存された売買プログラムに基づいて外部データベースから取り出される市場の情報を判断する市場情報判断手段と、市場情報蓄積手段に蓄積された市場の情報を用いて保存された売買プログラムに基づくシミュレーションを行うシミュレーション手段と、顧客情報蓄積手段に蓄積された顧客の情報に従って市場情報判断手段により判断されたタイミングでシミュレーション手段によりシミュレーションされた結果を端末装置に電子メール送信する電子メール送信手段とを有することを特徴とする市場取引支援装置である。
【００１６】
請求項３に記載された発明は、情報の入出力手段を有する端末装置と各種市場の情報が記憶されている外部データベースとサーバ装置とがネットワークを通じて接続されたシステムに適用される市場取引支援方法であって、端末装置を所有する顧客の情報を蓄積した顧客情報蓄積手段と任意の売買プログラムを保存する売買プログラム保存手段と外部データベースから取り出される市場の情報を蓄積する市場情報蓄積手段とが設けられ、保存された売買プログラムに基づいて外部データベースから取り出される市場の情報を判断する手順と、市場情報蓄積手段に蓄積された市場の情報を用いて保存された売買プログラムに基づくシミュレーションを行う手順と、顧客情報蓄積手段に蓄積された顧客の情報に従って市場の情報を判断して得たタイミングでシミュレーションされた結果を端末装置に電子メール送信する手順とを有することを特徴とする市場取引支援方法である。
【００１７】
請求項４に記載された発明は、情報の入出力手段を有する端末装置と各種市場の情報が記憶されている外部データベースとがネットワークを通じてサーバ装置に接続されたシステムに用いられる市場取引支援プログラムであって、端末装置を所有する顧客の情報を蓄積する機能と、任意の売買プログラムを保存する機能と、外部データベースから取り出される市場の情報を蓄積する機能と、保存された売買プログラムに基づいて外部データベースから取り出される市場の情報を判断する機能と、蓄積された市場の情報を用いて保存された売買プログラムに基づくシミュレーションを行う機能と、蓄積された顧客の情報に従って判断された市場の情報のタイミングでシミュレーションされた結果を端末装置に電子メール送信する機能とをサーバ装置で実現させるようにした市場取引支援プログラムである。
【００１８】
さらに請求項５に記載された発明は、請求項１〜４のいずれかに記載の市場取引支援システム、装置、方法またはプログラムにおいて、蓄積された市場の情報及び保存された売買プログラムの中からそれぞれ任意のものを指定してシミュレーションを実行することを特徴とする。
【００１９】
さらに請求項６に記載された発明は、請求項１〜４のいずれかに記載の市場取引支援システム、装置、方法またはプログラムにおいて、シミュレーションされた結果には、少なくとも仕掛け、手仕舞い、現在のポジション、利食い、損切りの一つ以上の価格の情報と、少なくとも期待収益率及び勝率の情報とを含むことを特徴とする。
【発明の効果】
【００２０】
本発明の市場取引支援システム、装置、方法及びプログラムによれば、売買プログラムに基づいて市場の情報を判断すると共に、市場の情報を用いて売買プログラムに基づくシミュレーションを行い、市場の情報を判断して得たタイミングでシミュレーションされた結果を端末装置に電子メール送信することにより、利用者は特別な知識がなくても売買のタイミングと、その統計的な優位性を知ることが出来、利用者を従来以上に合理的かつ冷静に売買に参加させることができる。
【発明を実施するための最良の形態】
【００２１】
以下、図面を参照して本発明を説明するに、図１は本発明による市場取引支援システム、装置、方法及びプログラムを適用した市場取引支援システムの一実施形態の全体を示す構成図である。
【００２２】
図１は、例えばインターネットのような情報通信ネットワーク１００を通じて形成されるシステム全体の構成を示す。この情報通信ネットワーク１００に、顧客の所有する顧客端末装置２０１、２０２、２０３・・・と、各種市場、例えば金融市場におけるデータ供給会社等のサーバ３００が接続される。このサーバ３００は、特定の契約者等に対して市場における値動きのデータ等の保存された外部データベース（ＤＢ）３０１が検索可能とされているものである。
【００２３】
そしてこの情報通信ネットワーク１００に、本発明の根幹となるサーバ装置１を構成するウェブサーバ１１とメールサーバ１２が接続される。このウェブサーバ１１とメールサーバ１２には、さらにアプリケーションサーバ１３とデータベースサーバ１４が接続され、データベースサーバ１４には、顧客情報ＤＢ２１、市場情報ＤＢ２２、商品情報ＤＢ２３、メール送信ＤＢ２４党を含むデータベース装置１５が接続される。そしてこれらのＤＢ２１〜２４に記憶されたデータと、アプリケーションサーバ１３に記憶された処理プログラムを用いて、後述する市場取引の支援情報の作成が行われる。
【００２４】
さらに上述のデータベース装置１５には、顧客が新規に考案した取引手法を登録する手法登録ＤＢ２５と、この登録された取引手法に従って作成された売買プログラムを保存するプログラム（ＰＧ）保存ＤＢ２６と、顧客に対する課金や送金のデータを保存する課金送金ＤＢ２７とが設けられる。そしてアプリケーションサーバ１３とこれらＤＢ２５〜２７によって、顧客が新規に考案した取引手法の登録と販売や、さらに販売に対する課金の請求や送金が行われる。なお、取引手法の登録と販売に関しては、本願出願人が先に特願２００５−１７２５７６として出願したものであり、ここでの詳細な説明は割愛する。
【００２５】
そこで上述のシステムにおいて、市場取引の支援情報の作成が、例えば図２に示すフローチャートに従って行われる。すなわち図２のフローチャートは、例えば金融市場におけるデータ供給会社等のサーバ３００からデータが追加されたことにより起動される。そして図２において、ステップＳ１でアプリケーションサーバにおける処理が行われる。ここでは例えば図３、図４に示すように例えば金融市場における過去のデータが蓄積されており、このデータに従って処理が行われる。なお図３、図４は連続したものである。
【００２６】
すなわち図３、図４に示す表において、Ａ〜Ｇ欄には金融市場情報供給会社のデータ記憶装置から抽出されたデータがコピーされる。ここで、Ａ欄は日付、Ｂ欄は時刻、Ｃ欄は始値、Ｄ欄は高値、Ｅ欄は低値、Ｆ欄は終値、Ｇ欄は取引高である。そして、これらのＡ〜Ｇ欄の値から、右のＨ〜Ｘ欄に示される値が、以下の式によって求められる。
【００２７】
H[s]=IF(AND(D[s]>MAX(D[s-10]:D[s-1]),C[s]>F[s]),"dn",IF(AND(E[s]<MIN(E[s-10]:E[s-1]),C[s]<F[s]),"up",""))
I[s]=IF(H[s]="up",D[s],IF(H[s]="dn",E[s],""))
J[s]=IF(H[s]="up",E[s],IF(H[s]="dn",D[s],""))
【００２８】
K[s]=IF(AND(H[s-1]="up",D[s]>D[s-1]),"B",IF(AND(H[s-1]="dn",E[s]<E[s-1]),"S",""))
L[s]=IF(K[s]="","",I[s-1])
M[s]=IF(K[s]="","",J[s-1])
N[s]=IF(K[s]="B",L[s]-M[s],IF(K[s]="S",M[s]-L[s],""))
O[s]=IF(K[s]="B",L[s]+N[s]*O$4,IF(K[s]="S",L[s]-N[s]*O$4,""))
【００２９】
P[s]=IF(K[s]="B",1,IF(K[s]="S",-1,SUM(P[s-1],S[s-1],U[s-1])))
Q[s]=IF(P[s-1]<>P[s],L[s],Q[s-1])
R[s]=IF(OR(K[s]="B",K[s]="S"),M[s],IF(AND(P[s-1]=P[s],P[s]<>0),R[s-1],""))
S[s]=IF(AND(P[s]=1,E[s]<R[s]),-1,IF(AND(P[s]=-1,D[s]>R[s]),1,""))
T[s]=IF(P[s-1]<>P[s],O[s],T[s-1])
U[s]=IF(AND(P[s]=1,D[s]>T[s]),-1,IF(AND(P[s]=-1,E[s]<T[s]),1,""))
【００３０】
V[s]=IF(S[s]<>"",(R[s]-Q[s])*P[s],"")
W[s]=IF(U[s]<>"",(T[s]-Q[s])*P[s],"")
X[s]=IF(AND(P[s-1]+P[s]=0,P[s]<>0),(Q[s]-Q[s-1])*P[s-1],"")
【００３１】
すなわち上述の図３、図４の表において、Ｈ〜Ｕ欄は、任意の売買プログラムに従ったものであり、ここでは以下の条件に従って売買が行われている。
◎「売り」の取引開始条件
区間ｔの高値が直近の過去１０区間の最高値より高いにもかかわらず、
区間ｔの終値は始値を下回り、
次の区間、つまり区間(t＋1)で区間ｔの安値を下回った場合
【００３２】
◎「売り」の取引終了条件
１．区間ｔの安値を基準に、区間ｔの値幅分（高値−安値）下落した場合
２．区間ｔの高値を上回った場合
３．上記１または２を満たす前に、「買い」の取引開始条件が満たされた場合
【００３３】
◎「買い」の取引開始条件
区間ｔの安値が直近の過去１０区間の最安値より低いにもかかわらず、
区間ｔの終値は始値を上回り、
次の区間、つまり区間(t＋1)で区間ｔの高値を上回ったら、区間ｔの高値で「買い」
【００３４】
◎「買い」の取引終了条件
１．区間ｔの高値を基準に、区間ｔの値幅分（高値−安値）上昇した場合
２．区間ｔの安値を下回った場合
３．上記１または２を満たす前に、「売り」の取引開始条件が満たされた場合
【００３５】
これにより、例えば
◎Ｈ欄で「dn」が表示される条件
１．その区間の高値が直近の過去１０区間の最高値より高い
２．その区間の終値が始値を下回っている
【００３６】
◎Ｈ欄で「up」が表示される条件
１．その区間の安値が直近の過去１０区間の最安値より安い
２．その区間の終値が始値を上回っている
となるものである。
【００３７】
さらにこれらのＨ〜Ｕ欄の算出結果から、Ｖ〜Ｘ欄に示すトラックレコードが作成される。ここで作成されたトラックレコードは、例えば図５に示すような形態で商品情報データベース２３に記憶される。そしてこのようなトラックレコードが、例えば市場情報ＤＢ２２に記憶された過去の市場の動向に従ってシミュレーションされることにより、例えば図６に示すようなトラックレコードの詳細が形成される。
【００３８】
すなわちこのシステムにおいて、市場情報ベースから任意の期間のデータを抽出し、抽出されたデータに基づいて複数の商品としての売買プログラムに従った売買をシミュレートし、シミュレートされた結果から、売買の損益等のトラックレコードを作成することができる。なお、この図６に示すトラックレコードの詳細からは、選択された取引における期待収益率（平均利益）や勝率、その他の取引に関わる情報を得ることができる。
【００３９】
そして図２のステップＳ１におけるアプリケーションサーバ１３の処理では、上述のＨ欄の結果についてさらに図７に示すフローチャートの処理が行われる。すなわち図７のステップＳ１１においてはＨ欄の内容が判断される。ここでＨ欄が「dn」となっている場合には、ステップＳ１２で一つ前のＰ欄の内容が判断され、これが「−１」以外のときは、ステップＳ１３で所定の売買シグナルのメール文が作成されて処理は終了される。
【００４０】
また、図７のステップＳ１１においてＨ欄が「up」となっている場合には、ステップＳ１４で一つ前のＰ欄の内容が判断され、これが「１」以外のときは、ステップＳ１５で所定の売買シグナルのメール文が作成されて処理は終了される。さらに、ステップＳ１１でＨ欄がブランクの場合と、ステップＳ１２で一つ前のＰ欄の内容が「−１」のとき、及びステップＳ１４で一つ前のＰ欄の内容が「１」のときは、ステップＳ１６でメール送信なしとされて処理は終了される。
【００４１】
そこで、図２のステップＳ２では売買シグナル変更（メール文の作成の有無）が判断され、変更がないとき（ＮＯ）は処理が終了される。これに対して、売買シグナルの変更があるとき（ＹＥＳ）は、ステップＳ３でメール送信ＤＢ２４が検索され、選択された送信先がステップＳ４でメールサーバ１２に渡されて、ステップＳ５で売買シグナルのメール文が送信される。さらにステップＳ３〜Ｓ５の処理がメール送信ＤＢ２４から選択された送信先の数分繰り返され、数分が送信されたら処理は終了される。
【００４２】
これによって、メールサーバ１２から情報通信ネットワーク１００を通じて、選択された送信先の顧客端末装置２０１、２０２、２０３・・・に、例えば図８に示すようなメール文が送信される。
【００４３】
この図８においては、１行目に「件名」として「売買シグナルのお知らせ」と記載され、２行目に日時が記載される。さらに、３行目に予め選択された売買手法（プログラム）の番号が記載され、４行目に分析対象と５行目に時間枠が記載される。そして以下に売買シグナルとして、「仕掛け」「手仕舞い」「期待収益率」「勝率」等の情報が記載される。なお、これらの売買シグナルは、上述の売買手法（プログラム）及びトラックレコードに従って形成されるものであり、以下のようなものを表示することができる。
【００４４】
すなわち売買シグナルの内容としては、売買手法（プログラム）によって求められる仕掛け、手仕舞い、現在のポジション、利食い、損切りの価格等の情報と、トラックレコードから得られる期間損益額（率）、利益額（率）、総損失額（率）、年間平均純利益額（率）、総トレード数 、勝ちトレード数、負けトレード数、勝率、売買頻度、連敗回数、１取引での最大利益額（率）、１取引での最大損失額（率）、平均損益額（率）、平均利益額（率）、平均損失額（率）、標準偏差、平均ポジション保有期間、最長ポジション保有期間、ドローダウン率等の情報を表示することができる。
【００４５】
さらに画面の下部には、「取引はこちらへ」として証券会社等のＵＲＬ（Uniform Resource Locator）が設けられ、例えばこのＵＲＬをクリックすることによって直接証券会社のウェブサイトにアクセスされるようにされている。また、その下には広告スペースや、「解除アドレスはコチラ」として解除のためのウェブサイトのＵＲＬが設けられる。なお、解除のためのウェブサイトのＵＲＬもリンクされているものである。
【００４６】
そしてこのメールが送信された顧客端末装置２０１、２０２、２０３・・・では、図９のフローチャートに示すような処置が行われる。すなわちメールが受信されると、ステップＳ２１でメールが表示される。そしてステップＳ２２で上述の証券会社等のＵＲＬ（バナー）がクリックされたか否か判断され、クリックされないとき（ＮＯ）はそのまま終了される。
【００４７】
一方、ステップＳ２２でバナーがクリックされたとき（ＹＥＳ）は、ステップＳ２３で証券会社等のサイトへのアクセスが行われ、ステップＳ２４でアクセスされたウェブサイトが表示される。そしてステップＳ２５で売買を行うか否かの入力が判断され、売買を行わないとき（ＮＯ）はそのまま終了される。これに対して、ステップＳ２５で売買を行うときはステップＳ２６で発注処理が行われて終了される。
【００４８】
こうして、上述した本発明の市場取引支援システム、装置、方法及びプログラムによれば、売買プログラムに基づいて市場の情報を判断すると共に、市場の情報を用いて売買プログラムに基づくシミュレーションを行い、市場の情報を判断して得たタイミングでシミュレーションされた結果を端末装置に電子メール送信することにより、利用者は特別な知識がなくても売買のタイミングと、その統計的な優位性を知ることが出来、利用者を従来以上に合理的かつ冷静に売買に参加させることができる。
【００４９】
さらに上述の本発明の市場取引支援システム、装置、方法及びプログラムにおいては、顧客端末装置２０１、２０２、２０３・・・として、例えば携帯電話機を利用することが出来るものであり、その場合に顧客は、仕事や家事をしながらでも適切に売買シグナルを受け取ることができ、シグナルに応じた売買を積極的かつ自主的に行うことができる。
【００５０】
従って、本発明の市場取引支援システム、装置、方法及びプログラムによれば、予め選択された売買プログラムに従って売買のタイミングを具体的に示すことにより、利用者は特別な知識がなくても売買のタイミングを知ることが出来、利用者を従来以上に積極的かつ自主的に売買に参加させることで、一般顧客による市場取引を支援し、また市場取引の多様化を図ることで、市場取引の活性化をも推進できるようにするものである。
【００５１】
なお、図１０には、図３、図４で矢印Ａ〜ｈを用いて示した各タイミングにおけるメール文の実施形態を示す。これらのメール文には、それぞれのタイミングにおいての具体的な指示として、仕掛け、手仕舞い、現在のポジション、利食い、損切り等の指示と価格の情報が記載されているものである。これにより顧客は、極めて具体的な売買シグナルを受け取ることが出来、適切な判断を行うことができるようになる。
【００５２】
さらに図１１〜図１３には、顧客が登録を行う際の登録画面の実施形態を示す。すなわち図１１は登録の際の選択画面であって、ここでは取引対象としての通貨の名前や、売買手法の番号、時間枠が表示され、これらによって、顧客は自分の所望する売買手法や取引対象、時間枠を選択する。そして、これらの選択された売買手法と取引対象、時間枠に対応する売買シグナルのメールを受け取ることができるものである。
【００５３】
また図１２には、例えばランキング検索により、年間平均純利益のランキングを表示したものであり、顧客はこの中から、自分の所望するものに同意して登録を行うことができる。さらに図１３には、登録メニュー一覧を表示したものであり、この一覧の中で左端の解除欄にチェックを入れることにより、選択したメニューのメール通知を停止することができる。
【００５４】
こうして上述の市場取引支援システムによれば、情報の入出力手段を有する端末装置と各種市場の情報が記憶されている外部データベースとがネットワークを通じて接続されたサーバ装置を用い、サーバ装置には、端末装置を所有する顧客の情報を蓄積した顧客情報蓄積手段と、任意の売買プログラムを保存する売買プログラム保存手段と、外部データベースから取り出される市場の情報を蓄積する市場情報蓄積手段と、保存された売買プログラムに基づいて外部データベースから取り出される市場の情報を判断する市場情報判断手段と、市場情報蓄積手段に蓄積された市場の情報を用いて保存された売買プログラムに基づくシミュレーションを行うシミュレーション手段と、顧客情報蓄積手段に蓄積された顧客の情報に従って市場情報判断手段により判断されたタイミングでシミュレーション手段によりシミュレーションされた結果を端末装置に電子メール送信する電子メール送信手段とが設けられることにより、利用者は特別な知識がなくても売買のタイミングと、その統計的な優位性を知ることが出来、利用者を従来以上に合理的かつ冷静に売買に参加させることができ、これによって、一般顧客による市場取引を支援し、また市場取引の多様化を図ることで、市場取引の活性化をも推進することができるものである。
【００５５】
また、上述の市場取引支援装置によれば、情報の入出力手段を有する端末装置と各種市場の情報が記憶されている外部データベースとがネットワークを通じて接続され、端末装置を所有する顧客の情報を蓄積した顧客情報蓄積手段と、任意の売買プログラムを保存する売買プログラム保存手段と、外部データベースから取り出される市場の情報を蓄積する市場情報蓄積手段と、保存された売買プログラムに基づいて外部データベースから取り出される市場の情報を判断する市場情報判断手段と、市場情報蓄積手段に蓄積された市場の情報を用いて保存された売買プログラムに基づくシミュレーションを行うシミュレーション手段と、顧客情報蓄積手段に蓄積された顧客の情報に従って市場情報判断手段により判断されたタイミングでシミュレーション手段によりシミュレーションされた結果を端末装置に電子メール送信する電子メール送信手段とを有することにより、利用者は特別な知識がなくても売買のタイミングと、その統計的な優位性を知ることが出来、利用者を従来以上に合理的かつ冷静に売買に参加させることができ、これによって、一般顧客による市場取引を支援し、また市場取引の多様化を図ることで、市場取引の活性化をも推進することができるものである。
【００５６】
さらに上述の市場取引支援方法によれば、情報の入出力手段を有する端末装置と各種市場の情報が記憶されている外部データベースとサーバ装置とがネットワークを通じて接続されたシステムに適用され、端末装置を所有する顧客の情報を蓄積した顧客情報蓄積手段と任意の売買プログラムを保存する売買プログラム保存手段と外部データベースから取り出される市場の情報を蓄積する市場情報蓄積手段とが設けられ、保存された売買プログラムに基づいて外部データベースから取り出される市場の情報を判断する手順と、市場情報蓄積手段に蓄積された市場の情報を用いて保存された売買プログラムに基づくシミュレーションを行う手順と、顧客情報蓄積手段に蓄積された顧客の情報に従って市場の情報を判断して得たタイミングでシミュレーションされた結果を端末装置に電子メール送信する手順とを有することにより、利用者は特別な知識がなくても売買のタイミングと、その統計的な優位性を知ることが出来、利用者を従来以上に合理的かつ冷静に売買に参加させることができ、これによって、一般顧客による市場取引を支援し、また市場取引の多様化を図ることで、市場取引の活性化をも推進することができるものである。
【００５７】
また、上述の市場取引支援プログラムによれば、情報の入出力手段を有する端末装置と各種市場の情報が記憶されている外部データベースとがネットワークを通じてサーバ装置に接続されたシステムに用いられ、端末装置を所有する顧客の情報を蓄積する機能と、任意の売買プログラムを保存する機能と、外部データベースから取り出される市場の情報を蓄積する機能と、保存された売買プログラムに基づいて外部データベースから取り出される市場の情報を判断する機能と、蓄積された市場の情報を用いて保存された売買プログラムに基づくシミュレーションを行う機能と、蓄積された顧客の情報に従って判断された市場の情報のタイミングでシミュレーションされた結果を端末装置に電子メール送信する機能とをサーバ装置で実現させることにより、利用者は特別な知識がなくても売買のタイミングと、その統計的な優位性を知ることが出来、利用者を従来以上に合理的かつ冷静に売買に参加させることができ、これによって、一般顧客による市場取引を支援し、また市場取引の多様化を図ることで、市場取引の活性化をも推進することができるものである。
【００５８】
なお本発明は、上述の説明した実施形態に限定されるものではなく、本発明の精神を逸脱することなく種々の変形が可能とされるものである。
【図面の簡単な説明】
【００５９】
【図１】本発明による市場取引支援システム、装置、方法及びプログラムを適用した市場取引支援システムの一実施形態の全体を示す構成図である。
【図２】その動作の説明のためのフローチャート図である。
【図３】その説明のための蓄積データの例を示す表図である。
【図４】その説明のための蓄積データの例を示す表図である。
【図５】その説明のためのトラックレコードの例を示す図である。
【図６】その説明のためのトラックレコードの詳細の例を示す図である。
【図７】その動作の説明のためのフローチャート図である。
【図８】その説明のための表示画面の実施形態を示す図である。
【図９】その動作の説明のためのフローチャート図である。
【図１０】その説明のためのメール文の実施形態を示す図である。
【図１１】その登録画面の説明のための図である。
【図１２】その登録画面の説明のための図である。
【図１３】その登録画面の説明のための図である。
【符号の説明】
【００６０】
１００…情報通信ネットワーク、２０１，２０２，２０３…利用者端末装置、３００…市場データ供給会社サーバ、３０１…外部データベース、１…サーバ装置、２…プログラマー端末、１１…ウェブサーバ、１２…メールサーバ、１３…アプリケーションサーバ、１４…データベースサーバ、１５…データベース装置、２１…顧客情報ＤＢ、２２…市場情報ＤＢ、２３…商品情報ＤＢ、２４…メール送信ＤＢ、２５…手法登録ＤＢ、２６…プログラム保存ＤＢ、２７…課金送金ＤＢ
【図１】
2007102553.tif 000003
【図２】
2007102553.tif 000004
【図３】
2007102553.tif 000005
【図４】
2007102553.tif 000006
【図５】
2007102553.tif 000007
【図６】
2007102553.tif 000008
【図７】
2007102553.tif 000009
【図８】
2007102553.tif 000010
【図９】
2007102553.tif 000011
【図１０】
2007102553.tif 000012
【図１１】
2007102553.tif 000013
【図１２】
2007102553.tif 000014
【図１３】
2007102553.tif 000015